(57)【要約】【課題】多様な学習内容を規定できるデータ処理装置、その方法およびそのプログラムを提供することを目的とする。【解決手段】物体２１は、識別マーク２２が付され、当該識別マーク２２に対応付けられた所定の概念を表現した形状および絵柄のうち少なくとも一方を有している。ＩＤ読み取り部１２が物体２１に付された識別マーク２２を読み込む。データ処理部１６は、第１の対応関係データ３２、第２の対応関係データ３３および素材データ３４を基に、上記読み込まれた識別マーク２２が表現する概念に対応した新たな概念を生成し、それに応じた画像を表示部１３に表示する。【選択図】　　　図１
2004144785.tif 000002
【特許請求の範囲】
【請求項１】
識別マークが付され当該識別マークに対応付けられた所定の概念を表現した形状および絵柄のうち少なくとも一方を有する物体と、
前記物体に付された前記識別マークを読み取る読み取り手段と、
前記識別マークと当該識別マークが付された前記物体の前記形状および絵柄の少なくとも一方が表現する概念を示す概念データとの対応関係を規定する第１の対応関係データを基に、前記読み取り手段が読み取った前記識別マークに対応する前記概念データを得る概念取得手段と、
前記読み取り手段が前記識別マークを読み取ったときに表示されている画像が示す概念と、前記概念取得手段が得た前記概念データが示す概念とを基に、新たな概念を示す概念データを生成する概念生成手段と、
前記概念生成手段が生成した前記概念データが示す概念を表現する画像データを生成する画像生成手段と、
前記画像生成手段が生成した前記画像データに応じた画像の表示処理を行う表示処理手段と
を有するデータ処理装置。
【請求項２】
前記概念データは、数字、色、所定の対象の名称を示す文字パターン、並びに所定の対象を特定するイメージパターンの少なくとも一つを示す
請求項１に記載のデータ処理装置。
【請求項３】
前記概念生成手段は、前記読み取り手段が前記識別マークを読み取ったときに表示されている画像が示す概念と前記概念取得手段が得た前記概念データが示す概念との組み合わせと、前記新たな概念との対応関係を示す第２の対応関係データを基に、前記概念データを生成する
請求項１または請求項２に記載のデータ処理装置。
【請求項４】
前記データ処理装置が設けられた環境内の所定の状態を検出する検出手段
をさらに有し、
前記概念取得手段は、前記検出手段が検出した前記所定の状態にさらに基づいて、前記読み取り手段が読み取った前記識別マークに対応する前記概念データを得る
請求項１〜３のいずれかに記載のデータ処理装置。
【請求項５】
前記検出手段は、前記データ処理装置が設けられた環境内の明るさ、音、磁気、温度、湿度、人体の少なくとも一つを検出する
請求項４に記載のデータ処理装置。
【請求項６】
前記概念生成手段が生成した前記概念データを基に、所定の対象物の動作を制御する動作制御手段
をさらに有する請求項１〜５のいずれかに記載のデータ処理装置。
【請求項７】
前記概念生成手段が生成した前記概念データが示す概念を表現する音声データを生成する音声生成手段と、
前記音声生成手段が生成した前記音声データの出力処理を行う出力処理手段と
をさらに有する請求項１〜６のいずれかに記載のデータ処理装置。
【請求項８】
前記読み取り手段は、複数の物体が物理的に組み合わされた状態で、前記複数の物体に付された前記識別マークを読み取り、
前記概念取得手段は、前記複数の識別マークの読み取り結果と、それぞれ識別マークが付された前記複数の物体の前記形状および絵柄の少なくとも一方並びに前記組み合わされた状態によって表現される概念を示す概念データとの対応関係を規定する第１の対応関係データを基に、前記読み取り手段が読み取った前記識別マークに対応する前記概念データを得る
請求項１〜７のいずれかに記載のデータ処理装置。
【請求項９】
所定の概念を表現した形状および絵柄のうち少なくとも一方を有する物体に付され前記所定の概念に対応付けられた識別マークを読み取る第１の工程と、
前記識別マークと当該識別マークが付された前記物体の前記形状および絵柄の少なくとも一方が表現する概念を示す概念データとの対応関係を規定する第１の対応関係データを基に、前記第１の工程で読み取った前記識別マークに対応する前記概念データを得る第２の工程と、
前記第１の工程で前記識別マークを読み取ったときに表示されている画像が示す概念と、前記第２の工程で得た前記概念データが示す概念とを基に、新たな概念を示す概念データを生成する第３の工程と、
前記第３の工程で生成した前記概念データが示す概念を表現する画像データを生成する第４の工程と、
前記第４の工程で生成した前記画像データに応じた画像の表示処理を行う第５の工程と
を有するデータ処理方法。
【請求項１０】
所定の概念を表現した形状および絵柄のうち少なくとも一方を有する物体に付され前記所定の概念に対応付けられた識別マークを基にデータ処理を行うデータ処理装置によって実行されるプログラムであって、
前記識別マークと当該識別マークが付された前記物体の前記形状および絵柄の少なくとも一方が表現する概念を示す概念データとの対応関係を規定する第１の対応関係データを基に、前記識別マークに対応する前記概念データを得る第１の手順と、
前記識別マークを読み取ったときに表示されている画像が示す概念と、前記第１の手順で得た前記概念データが示す概念とを基に、新たな概念を示す概念データを生成する第２の手順と、
前記第２の手順で生成した前記概念データが示す概念を表現する画像データを生成する第３の手順と、
前記第３の手順で生成した前記画像データに応じた画像の表示処理を行う第４の手順と
を有するプログラム。
【発明の詳細な説明】
【０００１】
【発明の属する技術分野】
本発明は、例えば、子供の学習などに用いられるデータ処理装置、その方法およびそのプログラムに関する。
【０００２】
【従来の技術】
例えば、動物などの絵柄を描いたカードに当該動物の鳴き声を録音した磁気ストライプを貼り付け、当該用紙を読み取り装置に通すと、磁気ストライプに録音されている当該動物の鳴き声が再生されて音声出力される学習装置が知られている。
このような学習装置は、例えば、子供が動物の外観と、その鳴き声との関係を学習するのに効果的である。
【０００３】
【発明が解決しようとする課題】
しかしながら、上述した学習装置は、カードに描かれた静的な絵柄と、磁気ストライプに記録された数秒間の音声との１対１の対応関係のみ規定できるため、学習できる内容も限られたものになる。
【０００４】
本発明はかかる事情に鑑みてなされたものであり、多様な学習内容を規定できるデータ処理装置、その方法およびそのプログラムを提供することを目的とする。
【０００５】
【課題を解決するための手段】
上記の目的を達成するため、第１の発明のデータ処理装置は、識別マークが付され当該識別マークに対応付けられた所定の概念を表現した形状および絵柄のうち少なくとも一方を有する物体と、前記物体に付された前記識別マークを読み取る読み取り手段と、前記識別マークと当該識別マークが付された前記物体の前記形状および絵柄の少なくとも一方が表現する概念を示す概念データとの対応関係を規定する第１の対応関係データを基に、前記読み取り手段が読み取った前記識別マークに対応する前記概念データを得る概念取得手段と、前記読み取り手段が前記識別マークを読み取ったときに表示されている画像が示す概念と、前記概念取得手段が得た前記概念データが示す概念とを基に、新たな概念を示す概念データを生成する概念生成手段と、前記概念生成手段が生成した前記概念データが示す概念を表現する画像データを生成する画像生成手段と、前記画像生成手段が生成した前記画像データに応じた画像の表示処理を行う表示処理手段とを有する。
また、第１の発明のデータ処理装置は、識別マークが付され当該識別マークに対応付けられた所定の概念を表現した形状および絵柄のうち少なくとも一方を有する物体に付された前記識別マークを読み取る読み取り手段と、前記識別マークと当該識別マークが付された前記物体の前記形状および絵柄の少なくとも一方が表現する概念を示す概念データとの対応関係を規定する第１の対応関係データを基に、前記読み取り手段が読み取った前記識別マークに対応する前記概念データを得る概念取得手段と、前記読み取り手段が前記識別マークを読み取ったときに表示されている画像が示す概念と、前記概念取得手段が得た前記概念データが示す概念とを基に、新たな概念を示す概念データを生成する概念生成手段と、前記概念生成手段が生成した前記概念データが示す概念を表現する画像データを生成する画像生成手段と、前記画像生成手段が生成した前記画像データに応じた画像の表示処理を行う表示処理手段とを有する。
【０００６】
第２の発明のデータ処理方法は、ノイズリダクション所定の概念を表現した形状および絵柄のうち少なくとも一方を有する物体に付され前記所定の概念に対応付けられた識別マークを読み取る第１の工程と、前記識別マークと当該識別マークが付された前記物体の前記形状および絵柄の少なくとも一方が表現する概念を示す概念データとの対応関係を規定する第１の対応関係データを基に、前記第１の工程で読み取った前記識別マークに対応する前記概念データを得る第２の工程と、前記第１の工程で前記識別マークを読み取ったときに表示されている画像が示す概念と、前記第２の工程で得た前記概念データが示す概念とを基に、新たな概念を示す概念データを生成する第３の工程と、前記第３の工程で生成した前記概念データが示す概念を表現する画像データを生成する第４の工程と、前記第４の工程で生成した前記画像データに応じた画像の表示処理を行う第５の工程とを有する。
【０００７】
第３の発明のプログラムは、所定の概念を表現した形状および絵柄のうち少なくとも一方を有する物体に付され前記所定の概念に対応付けられた識別マークを基にデータ処理を行うデータ処理装置によって実行されるプログラムであって、前記識別マークと当該識別マークが付された前記物体の前記形状および絵柄の少なくとも一方が表現する概念を示す概念データとの対応関係を規定する第１の対応関係データを基に、前記識別マークに対応する前記概念データを得る第１の手順と、前記識別マークを読み取ったときに表示されている画像が示す概念と、前記第１の手順で得た前記概念データが示す概念とを基に、新たな概念を示す概念データを生成する第２の手順と、前記第２の手順で生成した前記概念データが示す概念を表現する画像データを生成する第３の手順と、前記第３の手順で生成した前記画像データに応じた画像の表示処理を行う第４の手順とを有する。
【０００８】
【発明の実施の形態】
図１は、本発明の実施形態に係わる学習装置の構成図である。
図１は、本実施形態の学習装置１の構成図である。
図１に示すように、学習装置１は、例えば、ＩＤ読み取り部１２（本発明の読み取り手段）、表示部１３、音声出力部１４、記憶部１５およびデータ処理部１６を有する。
【０００９】
ＩＤ読み取り部１２は、例えば、赤外線などを用いた非接触方式で、物体２１（本発明の物体）に形成されたバーコードなどの識別マーク２２（本発明の識別マーク）を読み取り、その読み取り結果をデータ処理部１６に出力する。
表示部１３は、データ処理部１６からの画像信号に応じた画像を表示する。
音声出力部１４は、データ処理部１６からの音声信号に応じた音声出力を行う。
【００１０】
記憶部１５は、プログラム３１（本発明のプログラム）、第１の対応関係データ３２（本発明の第１の対応関係データ）、第２の対応関係データ３３（本発明の第２の対応関係デ−タ）および素材データ３４を記憶している。
プログラム３１は、データ処理部１６によって実行され、データ処理部１６が実行する処理の手順を記述している。
第１の対応関係データ３２は、識別マーク２２と、識別マーク２２が付された物体２１が有する形状および絵柄の少なくとも一方が表現する概念を示す概念データとの対応関係を規定している。
第２の対応関係データ３３は、ＩＤ読み取り部１２が識別マーク２２を読み取ったときに表示されている画像が示す概念と、ＩＤ読み取り部１２が読み取った識別マーク２２に対応する概念との組み合わせと、これらの組み合わせに応じて次に表示および出力する画像および音声の概念（新たな概念）との対応関係を規定している。
素材データ３４は、データ処理部１６が生成する画像および音声の素材となる素材データである。
【００１１】
図２は、データ処理部１６の機能ブロック図である。
データ処理部１６は、プログラム３１を実行して、図２に示す概念取得部４１、概念生成部４２、画像・音声生成部４３および表示・音声処理部４４の各種機能を実現する。
ここで、概念取得部４１が本発明の概念取得手段に対応し、概念生成部４２が本発明の概念生成手段に対応し、画像・音声生成部４３が本発明の画像生成手段および音声生成手段に対応し、表示・音声処理部４４が本発明の表示処理手段および出力処理手段に対応している。
【００１２】
概念取得部４１は、第１の対応関係データ３２を基に、ＩＤ読み取り部１２が読み取った識別マーク２２に対応する概念データを得る。
【００１３】
概念生成部４２は、ＩＤ読み取り部１２が識別マーク２２を読み取ったときに表示されている画像が示す概念と概念取得部４１が得た概念データが示す概念との組み合わせに対応する新たな概念を示す概念データを、第２の対応関係データ３３を基に生成（取得）する。
画像・音声生成部４３は、素材データ３４を用いて、概念生成部４２が生成した概念データが示す概念を表現する画像データおよび音声データを生成する。
表示・音声処理部４４は、画像・音声生成部４３が生成した画像データを基に画像の表示処理を行って画像信号を生成し、これを表示部１３に出力する。
表示・音声処理部４４は、画像・音声生成部４３が生成した音声データを基に音声の出力処理を行って音声信号を生成し、これを音声出力部１４に出力する。
【００１４】
以下、図１および図２に示す学習装置１の動作例を説明する。
ユーザが、表示部１３に表示された画像を見て、複数の物体２１のうち、当該画像に関係する概念を表現した形状および絵柄の少なくとも一方を有する物体２１を選択する。
次に、ユーザが、上記選択した物体２１に形成された識別マーク２２を、学習装置１のＩＤ読み取り部１２に読み取らせる。
学習装置１のデータ処理部１６の概念取得部４１が、記憶部１５に記憶された第１の対応関係データ３２を基に、ＩＤ読み取り部１２が読み取った識別マーク２２に対応する概念データを得る。
次に、概念生成部４２が、ＩＤ読み取り部１２が識別マーク２２を読み取ったときに表示されている画像が示す概念と概念取得部４１が得た概念データが示す概念との組み合わせに対応する新たな概念を示す概念データを、記憶部１５に記憶された第２の対応関係データ３３を基に生成（取得）する。
次に、画像・音声生成部４３が、素材データ３４を用いて、概念生成部４２が生成した概念データが示す概念を表現する画像データおよび音声データを生成する。
次に、表示・音声処理部４４が、画像・音声生成部４３が生成した画像データを基に画像の表示処理を行って画像信号を生成し、これを表示部１３に出力する。これにより、新たな概念データに対応した画像が表示部１３に表示される。
また、表示・音声処理部４４が、画像・音声生成部４３が生成した音声データを基に音声の出力処理を行って音声信号を生成し、これを音声出力部１４に出力する。これにより、新たな概念データに対応した音声が音声出力部１４から出力される。
【００１５】
以下、具体例を挙げて上述した学習装置１の動作例を説明する。
なお、本発明は以下に示す動作例に限定されるものではない。
〔第１の動作例〕
図３に示すように、表示部１３に、魚へんの文字パターン１０２、並びに空欄枠１０３を含む画像１０１が表示される。
ユーザ（例えば、子供）が、表示部１３に表示された画像１０１を見て、それぞれ異なるつくりを形状および絵柄の少なくとも一方で表現した物体２１のうち、鮎のつくりを表現した物体２１を選択する。
【００１６】
次に、ユーザが、上記選択した物体２１に形成された識別マーク２２を、学習装置１のＩＤ読み取り部１２に読み取らせる。
学習装置１のデータ処理部１６の概念取得部４１が、記憶部１５に記憶された第１の対応関係データ３２を基に、ＩＤ読み取り部１２が読み取った識別マーク２２に対応するつくりの概念データを得る。
次に、概念生成部４２が、ＩＤ読み取り部１２が識別マーク２２を読み取ったときに表示されている画像が示す魚へんの概念と概念取得部４１が得た概念データが示す鮎のつくりの概念との組み合わせ、並びに第２の対応関係データ３３を基に、新たな概念、すなわち鮎の概念データを生成する。
【００１７】
次に、画像・音声生成部４３が、素材データ３４を用いて、概念生成部４２が生成した概念データが示す鮎の概念を表現する画像データ（鮎の漢字の文字パターン、画像パターン）および音声データ（鮎の発音）を生成する。
次に、表示・音声処理部４４が、画像・音声生成部４３が生成した画像データを基に画像の表示処理を行って画像信号を生成し、これを表示部１３に出力する。これにより、鮎の漢字パターン１０６を、並びに画像パターン１０７を含む画像１０５が表示部１３に表示される。
また、表示・音声処理部４４が、画像・音声生成部４３が生成した音声データを基に音声の出力処理を行って音声信号を生成し、これを音声出力部１４に出力する。これにより、鮎を発音した音声が音声出力部１４から出力される。
【００１８】
また、その他の例として以下のようなものがある。
ユーザが、模様や色が付されていない例えば動物のシルエットの表現した物体２１を選択する。
次に、ユーザが、上記選択した物体２１に形成された識別マーク２２を、学習装置１のＩＤ読み取り部１２に読み取らせる。
学習装置１のデータ処理部１６の概念取得部４１が、記憶部１５に記憶された第１の対応関係データ３２を基に、ＩＤ読み取り部１２が読み取った識別マーク２２に対応するシルエットの概念データを得る。
次に、概念生成部４２が、シルエットを画面表示するための概念データを生成する。
次に、画像・音声生成部４３が、素材データ３４を用いて、概念生成部４２が生成した概念データが示す動物のシルエットの画像データを生成する。
次に、表示・音声処理部４４が、画像・音声生成部４３が生成した画像データを基に画像の表示処理を行って画像信号を生成し、これを表示部１３に出力する。これにより、ユーザが選択した動物のシルエットの画像が表示部１３に表示される。
【００１９】
次に、ユーザが、模様を表現した物体２１を選択する。
次に、ユーザが、上記選択した物体２１に形成された識別マーク２２を、学習装置１のＩＤ読み取り部１２に読み取らせる。
学習装置１のデータ処理部１６の概念取得部４１が、記憶部１５に記憶された第１の対応関係データ３２を基に、ＩＤ読み取り部１２が読み取った識別マーク２２に対応する模様の概念データを得る。
次に、概念生成部４２が、前述したシルエットに模様を表示するための概念データを生成する。
次に、画像・音声生成部４３が、素材データ３４を用いて、概念生成部４２が生成した概念データが示す動物のシルエットに模様が付された画像データを生成する。
次に、表示・音声処理部４４が、画像・音声生成部４３が生成した画像データを基に画像の表示処理を行って画像信号を生成し、これを表示部１３に出力する。これにより、ユーザが選択した動物のシルエットに模様が付された画像が表示部１３に表示される。
【００２０】
次に、ユーザが、色を表現した物体２１を選択する。
次に、ユーザが、上記選択した物体２１に形成された識別マーク２２を、学習装置１のＩＤ読み取り部１２に読み取らせる。
学習装置１のデータ処理部１６の概念取得部４１が、記憶部１５に記憶された第１の対応関係データ３２を基に、ＩＤ読み取り部１２が読み取った識別マーク２２に対応する色の概念データを得る。
次に、概念生成部４２が、前述した模様が付されたシルエットに色を付けて表示するための概念データを生成する。
次に、画像・音声生成部４３が、素材データ３４を用いて、概念生成部４２が生成した概念データが示す模様が付された動物のシルエットに色を付けた画像を表示する画像データを生成する。
次に、表示・音声処理部４４が、画像・音声生成部４３が生成した画像データを基に画像の表示処理を行って画像信号を生成し、これを表示部１３に出力する。これにより、ユーザが選択した模様が付された動物のシルエットに色が付けられた画像が表示部１３に表示される。
【００２１】
〔第２の動作例〕
例えば、表示部１３に、所定のシナリオを持つ物語の一場面の画像が表示される。
ユーザが、表示部１３に表示された画像を見て、その物語の登場人物等を形状および絵柄の少なくとも一方で表現した物体２１のうち、その一場面に登場させたい登場人物に対応する物体２１を選択する。
次に、ユーザが、上記選択した物体２１に形成された識別マーク２２を、学習装置１のＩＤ読み取り部１２に読み取らせる。
【００２２】
学習装置１のデータ処理部１６の概念取得部４１が、記憶部１５に記憶された第１の対応関係データ３２を基に、ＩＤ読み取り部１２が読み取った識別マーク２２に対応する登場人物の概念データを得る。
次に、概念生成部４２が、ＩＤ読み取り部１２が識別マーク２２を読み取ったときに表示されている画像、すなわち上記一場面の概念（例えば、物語内での位置づけ）と、概念取得部４１が得た概念データが示す登場人物との組み合わせ、並びに第２の対応関係データ３３を基に、新たな概念、すなわち選択された登場人物との組み合わせに応じて決まるシナリオの概念データを生成する。
【００２３】
次に、画像・音声生成部４３が、素材データ３４を用いて、概念生成部４２が生成した概念データが示す鮎の概念を表現する画像データ（新たなストーリに応じた場面の画像パターン）および音声データ（その場面での音声）を生成する。
次に、表示・音声処理部４４が、画像・音声生成部４３が生成した画像データを基に画像の表示処理を行って画像信号を生成し、これを表示部１３に出力する。これにより、選択された登場人物に対応した新たな場面の画像が表示部１３に表示される。
また、表示・音声処理部４４が、画像・音声生成部４３が生成した音声データを基に音声の出力処理を行って音声信号を生成し、これを音声出力部１４に出力する。これにより、選択された登場人物に対応した新たな場面に対応した音声が音声出力部１４から出力される。
【００２４】
〔第３の動作例〕
例えば、表示部１３に、川岸に浮かぶ船のイメージ、並びに、その船に積める最大重量を示す数字を含む画像が表示される。
ユーザが、表示部１３に表示された画像を見て、積み荷の重量を形状および絵柄の少なくとも一方で表現した物体２１のうち、最大重量を越えない物体２１を選択する。
次に、ユーザが、上記選択した物体２１に形成された識別マーク２２を、学習装置１のＩＤ読み取り部１２に読み取らせる。
学習装置１のデータ処理部１６の概念取得部４１が、記憶部１５に記憶された対応関係データ３２を基に、ＩＤ読み取り部１２が読み取った識別マーク２２に対応する重量の概念データを得る。
次に、概念生成部４２が、ＩＤ読み取り部１２が識別マーク２２を読み取ったときに表示されている画像、すなわち船およびその最大重量の概念と、概念取得部４１が得た概念データが示す重量（ユーザが選択した重量）を基に、新たな概念、すなわちユーザが選択した重量の人物等が、船に積まれた場合に船に積まれている合計の重量、並びにその船が沈むか否かを示す概念データを生成する。
【００２５】
次に、画像・音声生成部４３が、概念生成部４２が生成した概念データが示す鮎の概念を表現する画像データおよび音声データを生成する。
次に、表示・音声処理部４４が、画像・音声生成部４３が生成した画像データを基に画像の表示処理を行って画像信号を生成し、これを表示部１３に出力する。これにより、船に積まれた合計の重量が船の最大重量を越えた場合には、船が沈む画像が表示部１３に表示される。また、船に積まれた合計の重量が船の最大重量を越えていない場合には、船が未だ沈まない画像が表示部１３に表示される。
また、表示・音声処理部４４が、画像・音声生成部４３が生成した音声データを基に音声の出力処理を行って音声信号を生成し、これを音声出力部１４に出力する。これにより、上記船の状態に応じた音声が音声出力部１４から出力される。
【００２６】
〔第４の動作例〕
例えば、表示部１３に、既にユーザが物体２１を用いて指定した色の画像が表示される。
ユーザが、表示部１３に表示された色の画像を見て、複数の色を表現した複数の物体２１のうち、上記表示されている色に混合したい色を表現する物体２１を選択する。
次に、ユーザが、上記選択した物体２１に形成された識別マーク２２を、学習装置１のＩＤ読み取り部１２に読み取らせる。
【００２７】
学習装置１のデータ処理部１６の概念取得部４１が、記憶部１５に記憶された第１の対応関係データ３２を基に、ＩＤ読み取り部１２が読み取った識別マーク２２に対応する色の概念データを得る。
次に、概念生成部４２が、ＩＤ読み取り部１２が識別マーク２２を読み取ったときに表示されている色と概念取得部４１が得た概念データが示す色との組み合わせ、並びに第２の対応関係データ３３を基に、これらの色を混合して得られる色を示す概念データを生成する。
次に、画像・音声生成部４３が、素材データ３４を用いて、概念生成部４２が生成した概念データが示す色を表現する画像データを生成する。
次に、表示・音声処理部４４が、画像・音声生成部４３が生成した画像データを基に画像の表示処理を行って画像信号を生成し、これを表示部１３に出力する。これにより、上記混合された色の画像が表示部１３に表示される。
【００２８】
以上説明したように、学習装置１によれば、データ処理部１６の概念取得部４１および概念生成部４２において、第１の対応関係データ３２および第２の対応関係データ３３を基に新たな概念を示す概念データを生成することで、物体２１がその形状および絵柄によって表現した概念を基に、多様な画像および音声を出力することができる。
すなわち、学習装置１によれば、第１の対応関係データ３２および第２の対応関係データ３３を学習用に規定することで、ユーザが所定の概念を表現した物体２１に付された識別マーク２２をＩＤ読み取り部１２に読み取らせれば、それに応じた画像および音声が表示部１３および音声出力部１４に表示および出力される。そのため、ユーザは、物体２１が表現する概念を、多様な形態の画像および音声を基に学習することができる。
【００２９】
本発明は上述した実施形態には限定されない。
例えば、図４に示すように、図１に示す学習装置１にセンサ１７をさらに設けてもよい。
センサ１７は、例えば、学習装置１が設けられた環境内の所定の状態を検出し、その検出結果を示す検出信号をデータ処理部１６に出力する。
この場合に、データ処理部１６の概念取得部４１は、センサ１７から入力した検出信号が示す上記所定の状態にさらに基づいて、第１の対応関係データ３２を基に、ＩＤ読み取り部１２が読み取った識別マーク２２に対応する概念データを得る。
センサ１７は、例えば、学習装置１が設けられた環境の明るさを検出するものである。また、センサ１７は、例えば、音、磁気、温度、湿度、人体などを検出するものであってもよい。
また、センサ１７の代わりに、時刻を示すタイマなどを用いてもよい。
このように、学習装置１にセンサ１７を設け、センサ１７の検出結果を学習装置１による画面表示および音声出力に反映させることで、ユーザが学習装置１を使用している環境を反映させた学習が可能になる。
【００３０】
また、例えば、図５に示すように、図１に示す学習装置１に通信部１８をさらに設けてもよい。
この場合には、データ処理部１６が、概念生成部４２が前述したように生成した新たな概念データに応じた、所定の機械（対象物）６１を制御する制御信号を生成し、これを通信部１８を介して機械６１に送信してもよい。これにより、概念生成部４２が生成した新たな概念データに応じた動作を機械６１に行わせることができる。
機械６１は、例えば、ロボットなどである。
【００３１】
また、上述した実施形態では、ＩＤ読み取り部１２が物体２１の識別マーク２２を読み取る度に概念取得部４１が、その識別マーク２２に対応する概念データを得る場合を例示したが、本発明は、ＩＤ読み取り部１２が複数の物体２１の複数の識別マーク２２を所定の順序で読み取り、概念取得部４１が、当該複数の識別マーク２２、並びにその読み取り順序を基に対応する概念データを得てもよい。
【００３２】
また、上述した実施形態では、識別マーク２２の一例として、バーコードを例示したが、識別マーク２２は、例えば、無線方式でデータを送信する集積回路（ＩＣ）であってもよい。
【００３３】
また、識別マーク２２として、図６に示すように、それぞれ識別マーク２２ａ，２２ｂ，２２ｃが形成された複数の物体２１ａ，２１ｂ，２１ｃを嵌め込みなどにより物理的に組み合わせ、一体としてＩＤ読み取り部１２によって識別マーク２２ａ，２２ｂ，２２ｃの読み取りを行うようにしてもよい。
この場合に、概念取得部４１は、ＩＤ読み取り部１２による識別マーク２２ａ，２２ｂ，２２ｃの読み取り結果と、識別マーク２２が付された複数の物体２１の形状および絵柄の少なくとも一方並びにその組み合わされた状態によって表現される概念を示す概念データとの対応関係を規定する第１の対応関係データ３２を基に、ＩＤ読み取り部１２が読み取った識別マークに対応する概念データを得る。
なお、物体２１ａ，２１ｂ，２１ｃは、識別マークを用いるのではなく、その組み合わせによって、識別マーク、並びにその組み合わせ状態に対応する信号がＩＤ読み取り部１２に出力されるものであってもよい。
【００３４】
【発明の効果】
本発明によれば、多様な学習内容を規定できるデータ処理装置、その方法およびそのプログラムを提供することができる。
【図面の簡単な説明】
【図１】図１は、本発明の実施形態に係わる学習装置の構成図である。
【図２】図２は、図１に示すデータ処理部の機能ブロック図である。
【図３】図３は、本発明の第１の動作例を説明するための図である。
【図４】図４は、本発明の実施形態の変形例を説明するための図である。
【図５】図５は、本発明の実施形態のその他の変形例を説明するための図である。
【図６】図６は、図１に示す物体の変形例を説明するための図である。
【符号の説明】
１…学習装置、１２…ＩＤ読み取り部、１３…表示部、１４…音声出力部、１５…記憶部、１６…データ処理部、１７…センサ、１８…通信部、３１…プログラム、３２…第１の対応関係データ、３３…第２の対応関係データ、３４…素材データ、４１…概念取得部、４２…概念生成部、４３…画像・音声生成部、４４…表示・音声処理部
【図１】
2004144785.tif 000003
【図２】
2004144785.tif 000004
【図３】
2004144785.tif 000005
【図４】
2004144785.tif 000006
【図５】
2004144785.tif 000007
【図６】
2004144785.tif 000008